(57)【要約】      （修正有）【課題】紙コップに熱い飲み物を入れて，手でつかんでも手に熱が伝導されず，また，手でコップをつかんだ時に，滑り落ちにくい二重構造の紙コップを提供する。【解決手段】二重構造の紙コップは，二つの紙コップを一個の紙コップで結合させて，コップとコップ壁面の間に空間を形成させる。二つの紙コップ中，内側紙コップ１の縁部には紙コップ翼２が形成され，表面側方紙コップ４の壁面にはひだ５が形成され，表面側方紙コップ４の縁部には紙コップ翼２が形成されない状態で，内側紙コップ１のコップ翼２付近まで表面側方紙コップ４を挿入させて，内側紙コップ１と積み重ねる。【選択図】図５
0003115772.tif 000002
【実用新案登録請求の範囲】
【請求項１】
コップの縁部に紙コップ翼が形成された内側紙コップと；
コップ壁面の一部分が蛇腹形状である表面側紙コップと；
前記表面側紙コップに前記内側紙コップが挿入され，該表面側紙コップと内側紙コップとが重なることで一つのコップとして結合されたことを特徴とする，二重構造の紙コップ。
【考案の詳細な説明】
【技術分野】
【０００１】
本考案は，紙コップに関し，より詳細には，紙コップ二つを積み重ねて，一個の紙コップに構成させ，熱い飲み物を入れた時に，熱さを感じさせないように，また滑り落ちることを防止できる紙コップに関する。
【背景技術】
【０００２】
現在流通している紙コップは，一重の平面紙で構成されているのが一般的である。利用者は，その紙コップに飲み物等を入れることができる。
【考案の開示】
【考案が解決しようとする課題】
【０００３】
しかしながら，利用者が紙コップにコーヒー等の熱い飲み物を入れた場合，利用者がその紙コップが熱くなり，利用者は紙コップを持つことができない場合があった。
【０００４】
また，紙コップの表面は単なる平面で構成されている場合が多く，紙コップ表面が滑り易いため，利用者は紙コップを滑り落とし，紙コップ内の飲み物をこぼしてしまう等の危険性がある。
【０００５】
本考案は，上記問題点に鑑みてなされたものであり，本考案の目的は，熱い飲み物を入れた場合でも熱が外部に伝わるのを抑え，滑りにくい紙コップを提供することである。
【課題を解決するための手段】
【０００６】
上記課題を解決するため，本考案の第１の観点によれば，コップの縁部にコップ翼が形成された内側紙コップと；コップ壁面の一部分が蛇腹形状である表面側方紙コップ（又は，表面側紙コップ）と；表面側方紙コップの内側面にそって内側紙コップが挿入され，当該表面側方紙コップと内側紙コップとが重なることで一つのコップとして結合されたことを特徴とする二重構造の紙コップが提供される。
【０００７】
上記課題を解決するため，本考案の第２の観点によれば，紙コップで熱い飲み物を飲む時，手に熱さを感じさせないと同時に，紙コップが手から滑り落ちることを防げるよう，内側紙コップにはコップ周り（入口）にコップ翼を形成し，表面側方紙コップにはコップ壁面の横方向にひだ（又は，蛇腹形状）を構成し，この二つのコップを積み重ねて，一個のコップに結合させて，紙コップ壁面の横方向にひだと構成させることを特徴とする二重構造の紙コップが提供される。
【０００８】
本考案によれば，紙コップ入口にコップ翼２を構成させた内側紙コップ１と，表面側から覆う表面側方紙コップ４を具備させる。表面側方紙コップ４の壁面には横方向に蛇腹形状５を構成させて，表面側方紙コップ４の縁部６にはコップ翼２を構成させない状態で，表面側方紙コップ４を内側紙コップ１のコップ翼２付近まで挿入させる。２つのコップが結合すると，表面側方紙コップ４の壁面に構成させた蛇腹形状５が内側紙コップ１壁面と接触しながら，内側紙コップ１と表面側方紙コップ４の壁面間に空間７が構成されて，紙コップ外壁には蛇腹形状５が構成されるような二重構造の紙コップが構成される。
【０００９】
かかる構成によれば，紙コップ二つを積み重ねて，一個の紙コップに構成させることによって，熱い飲み物を入れても，熱が伝わりにくいため，熱さを感じさせず，また滑り落ちることを防止できるように表面側方紙コップ４壁面に横方向にひだを構成させて，紙コップを使い易くすることが可能となる。
【考案の効果】
【００１０】
以上説明したように，本考案によれば，内側紙コップと表面側方紙コップの間に空間が形成され，内側紙コップに熱い飲み物を入れても，熱は表面側方紙コップまで伝わるのを抑えられるため，紙コップを手でつかんでも熱くなく，また表面側方紙コップに構成させた蛇腹形状は，手で紙コップをつかむ時のざらざら感によって，コップの保持性の向上を図り，使用が便利になる。従って，紙コップで熱い飲み物を飲む場所，時間に関係せず，飲み物の味と香りを楽しむことができる。
【考案を実施するための最良の形態】
【００１１】
以下に添付図面を参照しながら，本考案の好適な実施の形態について詳細に説明する。なお，本明細書及び図面において，実質的に同一の機能構成を有する構成要素については，同一の符号を付することにより重複説明を省略する。
【００１２】
本考案の望ましい実施形態について図１〜図６を参照しながら説明する。
【００１３】
二重構造の紙コップの内側に入り積み重なる内側紙コップ１は，図１，図２に示すように，紙コップの縁部（紙コップの周り（入口））に紙コップ翼２が形成されている。
【００１４】
上記内側紙コップ１とは別途に表面側方紙コップ４には，図３，図４に示すように当該表面側方紙コップ４のコップ壁面に横方向のひだ（蛇腹形状）５が形成されている。
【００１５】
なお，上記表面側方紙コップ４の紙コップの縁部（紙コップの周り（入口））６には，上記紙コップ翼２が形成されていない。
【００１６】
図５に示す方法で上記表面側方紙コップ４を内側紙コップ１の紙コップ翼２付近まで挿入させると，上記表面側方紙コップ４と内側紙コップ１とが重なり合い一個の紙コップ（二重構造の紙コップ）になる。
【００１７】
上記二重構造の紙コップでは，図５に示すように，表面側方紙コップ４の壁面に形成されたひだ５が，内側紙コップ１の壁面に接触し，内側紙コップ１と表面側方紙コップ４の間には空間７ができる。上記空間７によって熱の伝わりを和らげる（抑える）ことができる。
【００１８】
従って，内側紙コップ１の方に熱い飲み物を入れても，熱は表面側方紙コップ４まで直接伝導しないため，紙コップを手でつかんでもさほど熱くなく，ひだ５の形成によって，ざらざら感を与え紙コップの保持性又はグリップ性を向上させることができ，利用者が紙コップを滑り落とす危険性を低くすることができる。
【００１９】
以上，添付図面を参照しながら本考案の好適な実施形態について説明したが，本考案は係る例に限定されないことは言うまでもない。当業者であれば，実用新案登録請求の範囲に記載された範疇内において，各種の変更例または修正例に想到し得ることは明らかであり，それらについても当然に本考案の技術的範囲に属するものと了解される。
【図面の簡単な説明】
【００２０】
【図１】本実施の形態にかかる内側紙コップの概略の一例を示す説明図である。
【図２】本実施の形態にかかる内側紙コップの概略の一例を示す縦断面図である。
【図３】本実施の形態にかかる表面側方紙コップの概略の一例を示す説明図である。
【図４】本実施の形態にかかる表面側方紙コップの概略の一例を示す縦断面図である。
【図５】本実施の形態にかかる内側紙コップと表面側方紙コップの結合状態の概略を示す断面図である。
【図６】本実施の形態にかかる蛇腹が形成された二重構造の紙コップの概略の一例を示す説明図である。
【符号の説明】
【００２１】
１      内側紙コップ
２      紙コップ翼
３      紙コップ台
４      表面側方紙コップ
５      ひだ
６      縁部
７      空間
【図１】
0003115772.tif 000003
【図２】
0003115772.tif 000004
【図３】
0003115772.tif 000005
【図４】
0003115772.tif 000006
【図５】
0003115772.tif 000007
【図６】
0003115772.tif 000008